(57)【要約】【課題】  意匠性と安全性とを確保することができる玄関ドア構造を提供する。【解決手段】ドア本体２が、玄関開口部に設けられた開口枠３の縦桟３１にヒンジ４を介して設けられ、このヒンジ４を中心に回動して押し開き可能となされたドア構造１であって、ヒンジ４が取り付けられるドア本体２の一側辺およびまたは縦桟に凹設部２０，３０が設けられ、この凹設部２０，３０にヒンジ４が納められてなるものである。また、凹設部２０，３０に納められたヒンジ４を隠すカバー５が設けられた玄関ドア構造１。ドア本体２の一側辺のみに凹設部２０が形成されるとともに、ヒンジ４は、このドア本体２の一側辺方向にオフセットされてなる玄関ドア構造１。縦桟３１のみに凹設部３０が形成されるとともに、ヒンジ４は、この縦桟方向にオフセットされてなる玄関ドア構造１。【選択図】  図１
2010116691.tif 000002
【特許請求の範囲】
【請求項１】
ドア本体が、玄関開口部に設けられた開口枠の縦桟にヒンジを介して設けられ、このヒンジを中心に回動して押し開き可能となされたドア構造であって、
前記ヒンジが取り付けられるドア本体の一側辺およびまたは縦桟に凹設部が設けられ、この凹設部にヒンジが納められてなることを特徴とする玄関ドア構造。
【請求項２】
凹設部に納められたヒンジを隠すカバーが設けられた請求項１記載の玄関ドア構造。
【請求項３】
ドア本体の一側辺のみに凹設部が形成されるとともに、ヒンジは、このドア本体の一側辺方向にオフセットされてなる請求項１または２記載の玄関ドア構造。
【請求項４】
縦桟のみに凹設部が形成されるとともに、ヒンジは、この縦桟方向にオフセットされてなる請求項１または２記載の玄関ドア構造。
【請求項５】
凹設部は、ヒンジの取付部と、ヒンジの取り付けに要する取付シロに相当する部分のみとなされた請求項１ないし４の何れか１記載の玄関ドア構造。
【発明の詳細な説明】
【技術分野】
【０００１】
本発明は、押し開きの玄関ドアの取付構造に関するものである。
【背景技術】
【０００２】
従来より、住宅建物の玄関ドアのヒンジは、開口枠の外側に飛び出して設けられ、出入りする際に外部から見えるようになっていた。
【０００３】
しかし、上記従来の玄関ドアの場合、ヒンジが外部から見えるので、デザイン的に美観が低下するといった不都合を生じることとなる。
【０００４】
そのため、例えば、特許文献１および２に開示されている自動車のドアや冷蔵庫のドアなどのように、ドアのヒンジをカバー材で被覆することが考えられる。
【特許文献１】特開２００５−２８２２５３号公報
【特許文献２】特開２００１−２７７８５６号公報
【発明の開示】
【発明が解決しようとする課題】
【０００５】
しかし、上記従来の自動車のドアや冷蔵庫のドアなどのように納まりを優先してカバー材を被覆する構造を玄関ドアに適用した場合、ドア本体と開口枠との間にドア開閉時に間隙が形成されやすくなり、指はさみなどが懸念されることとなる。特に、玄関ドアは、耐火性や防犯性を備えるために、自動車のドアや冷蔵庫のドアなどよりも重厚な重量物で形成されているため、ドア開閉時にドア本体と開口枠との間に間隙が形成されると安全性を確保することが困難になる。
【０００６】
本発明は係る実情に鑑みてなされたものであって、意匠性と安全性とを確保することができる玄関ドア構造を提供することを目的としている。
【課題を解決するための手段】
【０００７】
上記課題を解決するための本発明の玄関ドア構造は、ドア本体が、玄関開口部に設けられた開口枠の縦桟にヒンジを介して設けられ、このヒンジを中心に回動して押し開き可能となされたドア構造であって、前記ヒンジが取り付けられるドア本体の一側辺およびまたは縦桟に凹設部が設けられ、この凹設部にヒンジが納められてなるものである。
【０００８】
また、上記課題を解決するための本発明の玄関ドア構造は、凹設部に納められたヒンジを隠すカバーが設けられたものである。
【０００９】
玄関ドア構造は、ドア本体の一側辺のみに凹設部が形成されるとともに、ヒンジは、このドア本体の一側辺方向にオフセットされてなるものである。
【００１０】
玄関ドア構造は、縦桟のみに凹設部が形成されるとともに、ヒンジは、この縦桟方向にオフセットされてなるものである。
【００１１】
上記玄関ドア構造において、凹設部は、ヒンジの取付部と、ヒンジの取り付けに要する取付シロに相当する部分のみとなされたものである。
【発明の効果】
【００１２】
以上述べたように、本発明によると、ヒンジを凹設部に納めることができるため、外観上はヒンジが飛び出してデザイン的に目立つことなく、優れた意匠性が得られることとなる。また、ヒンジを凹設部に納めているため、開口枠とドア本体との開閉時にできる間隙を小さくすることが可能となり、指はさみなどを防止して安全性を確保することができる。
【００１３】
また、凹設部にヒンジを隠すカバーを設けることで、上記した意匠性および安全性を一層向上させることができる。
【００１４】
さらに、ドア本体の一側辺のみに凹設部を形成するとともに、ヒンジは、このドア本体の一側辺方向にオフセットしたものとすることで、既設の住宅建物の開口枠であっても、本発明の玄関ドア構造を構成することができる。
【００１５】
さらに、縦桟のみに凹設部を形成するとともに、ヒンジは、この縦桟方向にオフセットしたものとすることで、市販の玄関ドアであっても、本発明の玄関ドア構造を構成することができる。
【発明を実施するための最良の形態】
【００１６】
以下、本発明の実施の形態を図面を参照して説明する。
【００１７】
図１は玄関ドア１の全体構成の概略を示し、図２は同玄関ドア１の断面図を示し、図３は同玄関ドア１の開閉時の概略図を示している。
【００１８】
すなわち、この玄関ドア１は、ドア本体２が、開口枠３の縦桟３１にヒンジ４を介して設けられ、このヒンジ４を中心に回動して押し開き可能となされたドア構造であって、ドア本体２と縦桟３１に設けられた凹設部２０，３０に、ヒンジ４が納められ、このヒンジ４がカバー材５によって被覆された構成となっている。
【００１９】
ドア本体２は、一般の住宅建物に使用されるものと同じ大きさに形成されている。この大きさについては、特に限定されるものではなく、各種サイズのものを用いることができる。このドア本体２は、一側辺の端面２ａと外面２ｂとの角部が、外面側から深さ約１８ｍｍ、幅約１５ｍｍで長手方向全体に沿って凹設されて凹設部２０が形成されている。
【００２０】
開口枠３は、対向する二つの縦桟３１，３２の上端部間を上桟３３で接続して矩形の開口を形成するようになされている。この開口枠３の大きさは特に限定されるものではなく、ドア本体２の大きさに応じて決定される。開口枠３を形成する各部材は、所望の断面形状で押出し成形された型鋼からなる。このうち、ヒンジ４が取り付けられる側の縦桟３１は、ヒンジ４の取付面３１ａと外面３１ｂとの角部が、外面側から深さ約１８ｍｍ、幅約１５ｍｍで長手方向全体に沿って凹設されて凹設部３０が形成されている。
【００２１】
ヒンジ４は、一方の取付片４１が開口枠３の縦桟３１の取付面３１ａに固定され、他方の取付片４２が、ドア本体２の端面２ａに固定され、この固定状態で、回動軸４０の部分が上記凹設部２０，３０に納まるように設けられる。
【００２２】
カバー５は、ドア本体２の凹設部２０および縦桟３１の凹設部３０の長さと、これら凹設部２０，３０の幅の合計幅に略匹敵する大きさに形成された化粧面５１と、この化粧面５１の一端に屈曲形成された取付面５２とからなる。このカバー５は、取付面５２の部分をドア本体２の凹設部２０内の端面２０ａに当接して固定される。この固定状態で、カバー５は、ヒンジ４を被覆するとともに、化粧面５１がドア本体２の外面２ｂと面一となるように固定される。
【００２３】
このカバー５は、凹設部２０，３０の幅全体に設けてしまった場合、ドア本体２を回動させた際に、このカバー５の先端部が、縦桟３１の凹設部３０の取付面３１ａに干渉してしまう。したがって、縦桟３１の凹設部３０は、この取付面３１ａの部分が、カバー５と干渉しないように円弧状に凹設されている。なお、カバー５の幅を小さくした場合、カバー５が縦桟３１の凹設部３０の取付面３１ａに干渉することは無くなるが、この場合は、カバー５の先端とと縦桟３１との間の間隙が大きくなり、指はさみなどが懸念されることとなる。したがって、カバー５は、このカバー５の先端部と、隣接する縦桟３１との間隙が７ｍｍ以下となるように設定される。
【００２４】
このようにして構成される玄関ドア１の構造によると、ヒンジ４が凹設部２０，３０に納まってカバー５で被覆されることにより、外部から見た際にヒンジ４がカバー５によって隠され、しかも、このカバー５の化粧面５１がドア本体２の外面２ｂと面一となるので、意匠的に優れた外観が得られる。しかも、カバー５によって縦桟３１との間隙を７ｍｍ以下にしているので、指はさみなどの心配も無く安全性を確保することができる。
【００２５】
なお、本実施の形態において、カバー５は、ドア本体２に固定しているが、縦桟３１の凹設部３０内の取付面３１ａの方に固定するものであってもよい。この場合、ドア本体２の凹設部２０は、端面２０ａの部分が、カバー５と干渉しないように円弧上に凹設される。
【００２６】
また、本実施の形態において、ドア本体２および縦桟３１は、長手方向に沿った全体に凹設部２０，３０が設けられているが、この凹設部２０，３０としては、図４に示すように、ヒンジ４が納まる大きさと、このヒンジ４を取り付ける際に必要な取付シロとの合計の大きさに相当する部分だけが凹設された凹設部２０ａ，３０ａであってもよい。図４において、図１ないし図３と同部材には同符号を付して説明を省略する。
【００２７】
さらに、本実施の形態において、凹設部２０，３０は、ドア本体２と縦桟３１との両方に設けられているが、図５（ａ）に示すように、ドア本体２側にのみ凹設部２０を形成し、この凹設部２０に納まるように、ドア本体２側にオフセットされたヒンジ４を用いて施行するものであってもよい。この場合、縦桟３１には凹設部３０を形成しなくて良いため、既設の住宅建物であっても、施行が可能となる。また、図５（ｂ）に示すように、縦桟３１側にのみ凹設部３０を形成し、この凹設部３０に納まるように、縦桟３１側にオフセットされたヒンジ４を用いて施行するものであってもよい。この場合、ドア本体２には凹設部２０を形成しなくて良いため、気に入った市販のドア本体２０を施行することが可能となる。図５において、図１ないし図３と同部材には同符号を付して説明を省略する。
【００２８】
さらに、本実施の形態において、ヒンジ４は、カバー５によって被覆するようになさているが、図６に示すように、このカバー５を無くしてヒンジ４を凹設部２０，３０に納めただけのものであってもよい。ただし、この場合、凹設部２０，３０とヒンジ４との間隙は、指はさみを生じないように、出来るだけ間隙を小さくした凹設部２０，３０であることが好ましい。図６において、図１ないし図３と同部材には同符号を付して説明を省略する。
【産業上の利用可能性】
【００２９】
本発明に係る玄関ドア構造は、住宅建物の玄関に使用される。
【図面の簡単な説明】
【００３０】
【図１】本発明に係る玄関ドア構造の全体構成の概略を示す正面図である。
【図２】本発明に係る玄関ドア構造を示す部分省略水平断面図である。
【図３】（ａ）および（ｂ）は、玄関ドアのドア本体を開いた際の縦桟とドア本体との概略を示す部分概略断面図である。
【図４】本発明に係る玄関ドア構造の他の実施の形態を示す正面図である。
【図５】（ａ）および（ｂ）は本発明に係る玄関ドア構造の他の実施の形態を示す部分概略断面図である。
【図６】（ａ）ないし（ｃ）は本発明に係る玄関ドア構造のさらに他の実施の形態を示す部分概略断面図である。
【符号の説明】
【００３１】
１  玄関ドア
２  ドア本体
２０  凹設部
３  開口枠
３０  凹設部
３１  縦桟
４  ヒンジ
５  カバー
【図１】
2010116691.tif 000003
【図２】
2010116691.tif 000004
【図３】
2010116691.tif 000005
【図４】
2010116691.tif 000006
【図５】
2010116691.tif 000007
【図６】
2010116691.tif 000008